【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
方法であって、
画像のシーケンスの第１の画像のための第１の境界ボックスを定義する第１のデータを受信することと、ここにおいて、前記第１のデータは、前記第１の画像の中の関心領域のユーザの選択に対応し、前記関心領域はトラックされた対象を含み、前記第１の境界ボックスは前記関心領域に対応し、
画像の前記シーケンスの第２の画像に関する対象トラッキングデータを受信することと、前記対象トラッキングデータは、第２の境界ボックスを定義し、ここにおいて、前記第２の境界ボックスは、前記第２の画像の中の前記トラックされた対象を含む前記関心領域に対応し、
前記第１の境界ボックス内の第１のピクセル、および複数の検索境界ボックスの各々内の検索ピクセルのための類似のメトリックを決定することと、ここにおいて、前記検索境界ボックスの各々の検索座標は、１つ以上の方向にシフトされる前記第２の境界ボックスの第２の座標に対応し、
前記類似のメトリックに基づいて、修正された第２の境界ボックスを決定することと、
複数の画像に対応するメディアンディメンションを決定することと、ここにおいて、前記複数の画像は、画像の前記シーケンスの中の前記第２の画像に先行し、
前記修正された第２の境界ボックスのディメンションが前記メディアンディメンションに対応するように、前記複数の画像の数がしきい値を満たすことを決定することに基づいて、前記修正された第２の境界ボックスの第２のディメンションを決定するために前記メディアンディメンションを使用することと、
を備える、方法。
【請求項２】
前記第１のデータは、前記第１の境界ボックスの第１の座標および第１のディメンションを含み、前記対象トラッキングデータは、前記第２の境界ボックスの前記第２の座標および第２のディメンションを含み、前記検索境界ボックスの各々の検索ディメンションは、好ましくは前記第１の境界ボックスの前記第１のディメンションに対応する、請求項１に記載の方法。
【請求項３】
前記類似のメトリックは、前記第１のピクセルの列和差分ベクトルに少なくとも部分的に基づく、請求項１に記載の方法。
【請求項４】
特定の検索境界ボックス内の前記第１のピクセル、および特定の検索ピクセルのための特定の類似のメトリックに基づいて前記検索境界ボックスの前記特定の検索境界ボックスを選択すること、
をさらに備え、
前記修正された第２の境界ボックスの修正された第２の座標は、前記特定の検索境界ボックスの特定の検索座標に対応する、請求項１に記載の方法。
【請求項５】
前記第１のピクセルに対応する第１のピクセル特性、および前記特定の検索ピクセルに対応する第２のピクセル特性の絶対差の和（ＳＡＤ）に少なくとも部分的に基づいて前記特定の類似のメトリックを計算すること、または
前記第１のピクセルの第１の列和ベクトル、および前記特定の検索ピクセルの第２の列和ベクトルの第１の絶対差の和（ＳＡＤ）と、
前記第１のピクセルの第１の列和差分ベクトル、および前記特定の検索ピクセルの第２の列和差分ベクトルの第２のＳＡＤと、
前記第１のピクセルの第１の行和ベクトル、および前記特定の検索ピクセルの第２の行和ベクトルの第３のＳＡＤと、
前記第１のピクセルの第１の行和差分ベクトル、および前記特定の検索ピクセルの第２の行和差分ベクトルの第４のＳＡＤと、
を加算することによって前記特定の類似のメトリックを計算すること、
をさらに備える、請求項４に記載の方法。
【請求項６】
前記第１のピクセルの列和ベクトルを決定すること、ここにおいて、前記列和ベクトルの特定の要素は、前記第１の境界ボックスの特定の列に対応するピクセル値の和に対応し、前記ピクセル値の各々は、好ましくは対応するピクセルのピクセル輝度を識別する、
をさらに備える、請求項１に記載の方法。
【請求項７】
前記第１のピクセルの列和差分ベクトルを決定すること、ここにおいて、前記列和差分ベクトルの特定の要素は、前記列和ベクトルの第１の要素と、前記列和ベクトルの第２の要素間の差分に対応し、前記第１の要素および前記第２の要素は、前記第１の境界ボックスの近接した列に対応し、
をさらに備える、および／または
前記第１のピクセルの行和ベクトルを決定すること、ここにおいて、前記行和ベクトルの特定の要素は、前記第１の境界ボックスの特定の行に対応するピクセル値の和に対応し、をさらに備える、および／または
前記第１のピクセルの行和差分ベクトルを決定すること、ここにおいて、前記行和差分ベクトルの特定の要素は、前記行和ベクトルの第１の要素と、前記行和ベクトルの第２の要素間の差分に対応し、前記第１の要素および前記第２の要素は、前記第１の境界ボックスの近接した行に対応し、をさらに備える、請求項１に記載の方法。
【請求項８】
装置であって、
命令を記憶するように構成されたメモリと、
第１の画像の第１の境界ボックス内の第１のピクセル、および複数の検索境界ボックスの各々内の検索ピクセルのための類似のメトリックを決定することと、ここにおいて、前記第１の境界ボックスは、トラックされた対象を含む関心領域に対応し、前記検索境界ボックスの各々の検索座標は、１つ以上の方向にシフトされる第２の境界ボックスの第２の座標に対応し、前記第１の画像は、画像のシーケンスの中の第２の画像に先行し、前記第２の境界ボックスは、前記第２の画像の中の前記トラックされた対象を含む前記関心領域に対応し、
前記類似のメトリックに基づいて、修正された第２の境界ボックスを決定することと、
画像の前記シーケンスの中の前記第２の画像に先行する複数の画像に対応するメディアンディメンションを決定することと、
前記修正された第２の境界ボックスのディメンションが前記メディアンディメンションに対応するように、前記複数の画像の数がしきい値を満たすことを決定することに基づいて、前記修正された第２の境界ボックスの修正された第２のディメンションを決定するために前記メディアンディメンションを使用することと、
を行うための前記命令を実行するように構成されたプロセッサと、
を備える、装置。
【請求項９】
前記プロセッサは、
特定の検索境界ボックス内の前記第１のピクセル、および特定の検索ピクセルのための特定の類似のメトリックに基づいて前記検索境界ボックスの前記特定の検索境界ボックスを選択するようにさらに構成され、
前記修正された第２の境界ボックスの修正された第２の座標は、前記特定の検索境界ボックスの特定の検索座標に対応する、請求項８に記載の装置。
【請求項１０】
前記プロセッサは、前記第１のピクセルの第１のピクセル輝度、および前記特定の検索ピクセルの第２のピクセル輝度に少なくとも部分的に基づいて前記特定の類似のメトリックを計算するようにさらに構成される、請求項９に記載の装置。
【請求項１１】
画像の前記シーケンスは、ビデオストリームに対応する、請求項８に記載の装置。
【請求項１２】
前記プロセッサは、前記第１の画像のための第１のデータを取得するように、および前記第２の画像に関する対象トラッキングデータを取得するようにさらに構成され、
ここにおいて、前記第１のデータは、前記第１の境界ボックスを定義し、
前記対象トラッキングデータは、前記第２の境界ボックスを定義し、前記第１のデータは、好ましくは前記第１の境界ボックスの第１の座標および第１のディメンションを含み、前記対象トラッキングデータは、前記第２の境界ボックスの前記第２の座標および第２のディメンションを含む、請求項８に記載の装置。
【請求項１３】
前記検索境界ボックスの各々の検索ディメンションは、前記第１の境界ボックスの第１のディメンションに対応する、および／または
前記プロセッサは、前記第２の画像に基づいて積分画像を生成すること、ここにおいて、前記積分画像のピクセル値は、前記第２の画像の複数のピクセル値の和に対応し、前記積分画像は、前記類似のメトリックを決定するために使用され、を行うようにさらに構成される、請求項８に記載の装置。
【請求項１４】
命令を記憶するコンピュータ可読記憶デバイスであって、前記命令がプロセッサによって実行されるとき、前記プロセッサに、請求項１乃至７のいずれかに記載の方法にしたがうオペレーションを行わせる、コンピュータ可読記憶デバイス。
【請求項１５】
モバイル電話、セットトップボックス、ミュージックプレーヤ、ビデオプレーヤ、エンターテイメントユニット、ナビゲーションデバイス、通信デバイス、携帯情報端末（ＰＤＡ）、固定ロケーションデータユニット、またはコンピュータのうちの少なくとも１つに組み込まれる、請求項８に記載の装置。